(57)【要約】本発明は、密閉型圧縮機のピストンピン取付構造に関する。本発明では、ピストン（２０）の連結チャンバー（２２）の内部にカシメ部（２６）を形成し、ピストンピン（３０）をカシメ部（２６）の塑性変形によりピストン２０に締め付ける。このとき、カシメ部（２６）は、連結チャンバー（２２）に内設された干渉回避部（２４）の上下端に設けられ、ピストンピン（３０）の上下端がピストン（２０）の連結チャンバー（２２）内に締め付けられるようにする。本発明によると、ピストンピン（３０）の締付時、ピストン（２０）のカシメ部（２６）のみを塑性変形させればよいので、組立工程でピストン（２０）の外径に歪みが発生することを防止することができる。
2004515694.tif 000002
【特許請求の範囲】
【請求項１】
回転するクランク軸に連結されるコンロッドと、
前記クランク軸の回転運動を前記コンロッドを介して伝達され直線往復運動に変換し、前記コンロッドが位置する連結チャンバーが後端に開口して設けられるピストンと、
前記連結チャンバーの内部で前記コンロッドと摺動可能に連結された状態でピストンに締め付けられるピストンピンと、
前記ピストンピンを前記ピストンに固定するように連結チャンバーの内部に形成され、ピストンピンを外嵌して塑性変形されるカシメ部とを備える密閉型圧縮機のピストンピン取付構造。
【請求項２】
前記カシメ部は、前記連結チャンバーの内部に突設され、前記ピストンピンの上下端部に対応する位置のうち少なくとも一箇所に設けられる請求項１に記載の密閉型圧縮機のピストンピン取付構造。
【請求項３】
前記カシメ部は、それぞれ対をなし、前記ピストンピンの外周面に密着してかしめられ、ピストンピンをピストンに固定する請求項２に記載の密閉型圧縮機のピストンピン取付構造。
【請求項４】
前記連結チャンバーの内部には、さらに前記カシメ部の内側に前記ピストンピンと摺動可能に連結されるコンロッドの一端部が摺動可能に収納される干渉回避部が設けられる請求項２に記載の密閉型圧縮機のピストンピン取付構造。
【発明の詳細な説明】
【０００１】
＜技術分野＞
本発明は密閉型圧縮機に関し、より詳しくは、クランク軸の回転運動をピストンの直線往復運動に変換するコンロッドとピストンを連結するピストンピンをピストンに取り付ける構造に関する。
【０００２】
＜背景技術＞
図１は、従来の技術によるコンロッド方式の密閉型圧縮機の内部構成を示す断面図である。図１を参照して、密閉型圧縮機は、上部容器１ｔと下部容器１ｂからなる密閉容器１と、該密閉容器１の内部に支持されているフレーム２と、該フレーム２に固定されている固定子３と、フレーム２を密閉容器１の内部に支持するばね２Ｓとを備えている。
【０００３】
また、フレーム２の中央を貫通するクランク軸５が設けられている。クランク軸５には、回転子４が一体形成され、固定子３との電磁気的相互作用により回転子４と共に回転する。
【０００４】
クランク軸５は、クランク軸５の回転中心に対し偏心してその上端に設けられた偏心ピン５ｂと、該偏心ピン５ｂの反対側に設けられたバランスウェイト５ｃと、クランク軸５の下端に設けられ、下部容器１ｂの底面に溜まっているオイルＬをクランク軸５に形成されているオイル流路５ａに吸い上げるためのプロペラ５ｄとを備えている。
【０００５】
また、圧縮室６′が内蔵されたシリンダー６がフレーム２に一体成形されている。また、圧縮室６′には、クランク軸５の偏心ピン５ｂとコンロッド８で連結されたピストン７が設けられている。
【０００６】
偏心ピン５ｂは、図２に示すように、コンロッド８のクランク軸連結部８ａと連結され、ピストン７とコンロッド８のピストン連結部８ｂは、ピストンピン７′で連結されている。クランク軸連結部８ａと偏心ピン５ｂとの間には、スリーブＳＬが押し込まれている。このとき、スリーブＳＬの外面は、クランク軸連結部８ａの内面に嵌合され、コンロッド８と一体で動作する。ピストンピン７′は、ピストン７に嵌合された状態でピストン連結部８ｂと連結されている。
【０００７】
また、シリンダー６の先端には、圧縮室６′に流入されてから排出される冷媒を制御するバルブアセンブリー９が設けられている。図面符号１０は、シリンダーヘッド、１１は吸入消音器、１２は冷媒を密閉容器１の内部に伝達する吸入管、１３は圧縮冷媒を圧縮機の外部に吐き出す吐出管である。
【０００８】
このような構成を有する圧縮機は、電源が印加されると、回転子４と固定子３の電磁気的相互作用により、回転子４が回転すると共に、回転子４と一体でクランク軸５が回転するようになる。クランク軸５が回転すると、クランク軸５に偏心して形成されている偏心ピン５ｂが円弧状に回転し、偏心ピン５ｂと連結されているコンロッド８が、偏心ピン５ｂが連動して、ピストン７を直線往復運動させる。これによって、ピストン７が圧縮室６′内で直線往復運動すると共に冷媒を圧縮するようになる。
【０００９】
然しながら、このような従来の技術には以下のような問題がある。
一般に、コンロッド８とピストン７とピストンピン７′との間には次のような関係がある。ピストン７にピストンピン７′が嵌合され、コンロッド８とピストンピン７′との間は互いに摺動する摩擦部となる。従って、ピストンピン７′はピストン７と一体となり、コンロッド８のピストン連結部８ｂとは相対的な運動をするようになる。
【００１０】
そのためには、ピストンピン７′をピストン７に嵌合しなければならない。然しながら、ピストン７にピストンピン７′を嵌合することにより、図３に示すように、ピストン７が上下方向につぶれて真円とならないようになる。これは、ピストンピン７′をピストン７に押し込むことにより生じる現象である。
【００１１】
このようにピストン７が真円とならずにつぶれてしまうと、ピストン７が運動する圧縮室６′の内壁面に偏磨耗が発生し、圧縮室６′の内壁面とピストン７との間から冷媒が漏れてしまう現象が生じ、圧縮室６′内で確実な圧縮が行われないという問題点がある。
【００１２】
＜発明の開示＞
本発明は、上記問題点に鑑みなされたものであり、コンロッドとピストンとの連結時に発生するピストンの歪みを防止することを目的とする。
【００１３】
本発明は、コンロッドとピストンとの連結作業をより容易にすることを他の目的とする。
【００１４】
上記の目的を達成するため、本発明による密閉型圧縮機のピストンピン取付構造は、回転するクランク軸に連結されるコンロッドと、前記クランク軸の回転運動を前記コンロッドを介して伝達され直線往復運動に変換し、前記コンロッドが位置する連結チャンバーが後端に開口して設けられるピストンと、前記連結チャンバーの内部で前記コンロッドと摺動可能に連結された状態でピストンに締め付けられるピストンピンと、前記ピストンピンを前記ピストンに固定するように連結チャンバーの内部に形成され、ピストンピンを外嵌して塑性変形されるカシメ部とを具備する。
【００１５】
前記カシメ部は、好ましくは、前記連結チャンバーの内部に突設され、前記ピストンピンの上下端部に対応する位置のうち少なくとも一箇所に設けられる。
【００１６】
前記カシメ部は、好ましくは、それぞれ対をなし、前記ピストンピンの外周面に密着してかしめられ、ピストンピンをピストンに固定する。
【００１７】
前記連結チャンバーの内部には、さらに前記カシメ部の内側に前記ピストンピンと摺動可能に連結されるコンロッドの一端部が摺動可能に収納される干渉回避部が設けられる。
【００１８】
本発明によると、コンロッドとピストンの連結のためのコンロッドの固定時に前記ピストンに歪みが発生しないという利点がある。
【００１９】
＜発明を実施するための最良の形態＞
以下、本発明の好ましい実施の形態を、添付図面に基づいて詳しく説明する。
図４は、本発明の実施の形態による密閉型圧縮機のピストンピン取付構造の構成を示す部分切欠き斜視図であり、図５は、同じく断面図であり、図６は、図５のＡ−Ａ線による断面図である。
【００２０】
図に示すように、圧縮室６′の内部には直線往復運動する円筒状のピストン２０が設けられている。このピストン２０の後端の内部には、ピストン２０の後方に開口した連結チャンバー２２が設けられている。この連結チャンバー２２は、コンロッド４０とピストン２０との連結が行われる部分である。連結チャンバー２２の内部には、コンロッド４０のピストン連結部４４とピストン２０との間の干渉が発生しないようにするための干渉回避部２４が設けられている。この干渉回避部２４は、連結チャンバー２２の内部に凹設され、ピストン連結部４４の一端が位置している。
【００２１】
連結チャンバー２２の干渉回避部２４の上下には、後述するピストンピン３０をピストン２０に固定するためのカシメ部２６が設けられている。このカシメ部２６は、塑性変形され、ピストンピン３０を固定するものであって、最初は、図６の点線で示すように連結チャンバー２２の入口に向けて連設されているが、その後、ピストンピン３０を連結チャンバー２２内に締め付けるとき、かしめ作業により塑性変形され、図６に実線で示すようにピストンピン３０の外面に密着する。
【００２２】
カシメ部２６は、それぞれ対をなし、ピストン２０の製造時、相互間隔がピストンピン３０の直径とほぼ同じかまたは若干大きさに形成されている。また、カシメ部２６は、必ずしもピストンピン３０の上下端に対応する位置に形成する必要はなく、ピストンピン３０を固定するに適合の位置であれば任意である。
【００２３】
ピストンピン３０は、ピストン２０の連結チャンバー２２にカシメ部２６で固定され、コンロッド４０とピストン２０を連結するようになる。このとき、ピストンピン３０は、ピストン２０とはカシメ部２６で締め付けられ、コンロッド４０とは摺動可能に連結されている。
【００２４】
また、コンロッド４０の一端がクランク軸５と連結され、他端がピストン２０と連結されている。コンロッド４０は、クランク軸５とピストン２０を連結し、クランク軸５の回転運動をピストン２０の直線往復運動に変換する。このコンロッド４０の一端部には、クランク軸５との連結のためのクランク軸連結部４２が設けられ、他端部には、ピストンピン３０によってピストン２０との連結のためのピストン連結部４４が設けられている。
【００２５】
以下、このような構成を有する本発明による密閉型圧縮機のピストンピン取付構造の作用について説明する。
【００２６】
ピストン２０は、一般に焼結形成され、連結チャンバー２２、干渉回避部２４、カシメ部２６は焼結作業で同時に成形されるため、別の加工工程を経る必要はない。
【００２７】
このようなコンロッド４０のピストン２０への連結は、ピストンピン３０をコンロッド４０のピストン連結部４４に嵌合した状態で、ピストン２０の後端から連結チャンバー２２に挿入することで行われる。
【００２８】
次いで、カシメ部２６を塑性変形させ、ピストンピン３０の上下端部の外面を取り囲むようにする。これによって、ピストンピン３０はピストン２０に固定され、ピストン連結部４４とピストンピン３０との間は摺動可能になる。
【００２９】
このようにピストンピン３０のピストン２０への締付時は、連結チャンバー２２の内部に突設されているカシメ部２６を塑性変形させるので、ピストン２０の外形には全く影響を与えずに締め付けることができる。
【００３０】
＜産業上の利用可能性＞
以上のように、本発明によると、ピストンとコンロッドの連結時に、単にカシメ部のみを塑性変形させてピストンピンを固定するので、ピストンの外形に歪みが発生しないようになる。従って、ピストンの組立過程で発生する不良率を最小化することができる。
【図面の簡単な説明】
【図１】
従来の密閉型圧縮機の内部構成を示す断面図である。
【図２】
従来の密閉型圧縮機のコンロッドの構成を示す分解斜視図である。
【図３】
従来の技術によるコンロッドとピストンとの連結時の問題点を説明するための図である。
【図４】
本発明の実施の形態による密閉型圧縮機のピストンピン取付構造の構成を示す部分切欠き分解斜視図である。
【図５】
本発明の実施の形態による密閉型圧縮機のピストンピン取付構造の構成を示す断面図である。
【図６】
図５のＡ−Ａ線による断面図である。
【国際公開パンフレット】
2004515694.tif 000003
2004515694.tif 000004
2004515694.tif 000005
2004515694.tif 000006
2004515694.tif 000007
2004515694.tif 000008
2004515694.tif 000009
2004515694.tif 000010
2004515694.tif 000011
2004515694.tif 000012
2004515694.tif 000013
【国際調査報告】
2004515694.tif 000014